(57)【要約】【課題】盗難防止機能を有するパネル駆動機構のの耐久性および信頼性を向上させる。【解決手段】一方の面に操作面３ｂが形成され、他方の面にブランク面３ｃが形成されたパネル３を筐体１の前面に回動自在に支持した車載用電子機器において、操作面３ｂが外部に露出した状態で電源スイッチが切られるとブランク面３ｃが表側となりブランク面３ｃにより車載用電子機器が隠されるようにパネル３を回動させる盗難防止モードと、電源スイッチが切られてもパネル３の回動が行われない非盗難防止モードとを選択可能とした。【選択図】        図１
2005186844.tif 000002
【特許請求の範囲】
【請求項１】
一方の面に操作面が形成され、他方の面にブランク面が形成されたパネルを筐体の前面に回動自在に支持した車載用電子機器において、前記操作面が外部に露出した状態で電源スイッチが切られると前記ブランク面が表側となり前記ブランク面により車載用電子機器が隠されるように前記パネルを回動させる盗難防止モードと、電源スイッチが切られても前記パネルの回動が行われない非盗難防止モードとが選択可能となっている電子機器のパネル駆動機構。
【請求項２】
一方の面に操作面が形成され、他方の面にサブパネルが着脱されるパネルを筐体の前面に回動自在に支持した車載用電子機器において、前記操作面が外部に露出した状態で電源スイッチが切られると前記サブパネルが表側となり前記サブパネルにより車載用電子機器が隠されるように前記パネルを回動させる盗難防止モードと、電源スイッチが切られても前記パネルの回動が行われない非盗難防止モードとが選択可能となっており、サブパネルが取り外された状態では非盗難防止モードでも前記サブパネルの取付ける側の面が表側となりこれにより車載用電子機器が隠されるように前記パネルを回動させるように構成された電子機器のパネル駆動機構。
【請求項３】
一方の面に操作面が形成され他方の面にブランク面が形成された前側パネルと、その背後に配置される後側パネルとが筐体内に前後動自在に支持されたスライダに回動自在に支持され、前記スライダが所定距離以上に突出するときは前記後側パネルが前記スライダの動きにより起立状態から傾動して記録媒体挿入口を露出する車載用電子機器において、前記操作面が外部に露出した状態で電源スイッチが切られると前記ブランク面が表側となり前記ブランク面により車載用電子機器が隠されるように前記前側パネルを回動させる盗難防止モードと、電源スイッチが切られても前記前側パネルの回動が行われない非盗難防止モードとが選択可能となっており、前記後側パネルが傾動された状態では非盗難防止モードで電源スイッチが切られると前記後側パネルが起立するように前記スライダが駆動されるように構成された電子機器のパネル駆動機構。
【請求項４】
前記電源スイッチが車両のアクセサリスイッチである請求項１から３のいずれかに記載した電子機器のパネル駆動機構。
【請求項５】
前記電源スイッチが電子機器のパワースイッチである請求項１から３のいずれかに記載した電子機器のパネル駆動機構。
【発明の詳細な説明】
【技術分野】
【０００１】
この発明は電子機器に係わり、特に、そのパネル駆動機構に関する。
【背景技術】
【０００２】
特願２００２−２６４４５３に提案された従来の車載用電子機器のパネル駆動機構の例を図４により説明する。図４に示す車載用電子機器の筐体１は車両の電子機器収容凹部に収容される。筐体１の内部下方にはスライダ２が図示していない駆動機構により前後方向に駆動させるように配置されている。スライダ２の先端には前側パネル３が軸３ａ回りに図示していない駆動機構により回動されるように配置されている。
【０００３】
前側パネル３の図４における下側の面はブランク面３ｃとなっており、上側の面が操作面３ｂとなっている。前側パネル３を操作しやすくする場合には水平面より下側まで回動される。そのとき操作面３ｂは前方に向くように傾斜する。（特願平２００２、、図２（ｂ））スライダ２が筐体１の最奥に位置し、前側パネル３が起立した状態ではブランク面３ｃが車載用電子機器を隠し盗難が防止される。
【０００４】
前側パネル３の背後には後側パネル４が軸４ａ回りに回動自在にスライダ２に支持されている。後側パネル４の上端部には軸４ｂを介してアーム５が回動自在に連結されている。アーム５の下端に立設されたピン５ａは筐体１に固定された図示していないカム溝とスライダ２に設けられた図示していないカム溝とに係合している。後側パネル４はスライダ２の動きにつれて軸４ａ回りに回動される。
【０００５】
すなわち、スライダ２が筐体１の最奥の位置から所定距離前進した位置の間にあるときは後側パネル４は起立した状態であるが、スライダ２がその範囲を越えて前進すると、後側パネル４は後方に倒れるように回動する。後側パネル４が後方に倒れた状態で筐体１内部に固定された機器本体前面に設けられた記録媒体挿入口が露出し、記録媒体の出し入れが可能となる。後側パネル４の図４における左側の面は表示装置の設けられた表示面４ｃを形成している。
【０００６】
上記のようにパネルを回動させてパネルのブランク面により車載用電子機器を隠し盗難が防止することができるものは、電源が切られると、自動的にブランク面が表側となるようにパネルが回動され、盗難を防止するものがあった。しかしながら、日本国のように、盗難防止機能が重視されない場合は電源を切る度にパネルを回動させることが煩わしいと感じることがある。
【０００７】
このような盗難防止機能が常に作用すると、電源オン／オフの度に駆動機構が動作するために駆動機構の寿命が短くなる。また、電源オフ中はキー操作面が表にないため、記録媒体であるディスク等を排出できない。さらに、ＡＣＣ（アクセサリスイッチ）をオンとすると、パネルが前面に出てくるため、車載用電子機器の前方に空間を常に確保しなければならないという問題があった。
【特許文献１】特願２００２−２６４４５３、図２
【発明の開示】
【発明が解決しようとする課題】
【０００８】
この発明は上記した点に鑑みてなされたものであって、その目的とするところは、電源断による盗難防止のためのパネル駆動を有効または無効とすることを選択可能とした電子機器のパネル駆動機構を提供することにある。
【課題を解決するための手段】
【０００９】
この発明の電子機器のパネル駆動機構は、一方の面に操作面が形成され、他方の面にブランク面が形成されたパネルを筐体の前面に回動自在に支持した車載用電子機器において、前記操作面が外部に露出した状態で電源スイッチが切られると前記ブランク面が表側となり前記ブランク面により車載用電子機器が隠されるように前記パネルを回動させる盗難防止モードと、電源スイッチが切られても前記パネルの回動が行われない非盗難防止モードとが選択可能となっているものである。
【００１０】
また、この発明の電子機器のパネル駆動機構は、一方の面に操作面が形成され、他方の面にサブパネルが着脱されるパネルを筐体の前面に回動自在に支持した車載用電子機器において、前記操作面が外部に露出した状態で電源スイッチが切られると前記サブパネルが表側となり前記サブパネルにより車載用電子機器が隠されるように前記パネルを回動させる盗難防止モードと、電源スイッチが切られても前記パネルの回動が行われない非盗難防止モードとが選択可能となっており、サブパネルが取り外された状態では非盗難防止モードでも前記サブパネルの取付ける側の面が表側となりこれにより車載用電子機器が隠されるように前記パネルを回動させるように構成されたものである。
【００１１】
また、この発明の電子機器のパネル駆動機構は、一方の面に操作面が形成され他方の面にブランク面が形成された前側パネルと、その背後に配置される後側パネルとが筐体内に前後動自在に支持されたスライダに回動自在に支持され、前記スライダが所定距離以上に突出するときは前記後側パネルが前記スライダの動きにより起立状態から傾動して記録媒体挿入口を露出する車載用電子機器において、前記操作面が外部に露出した状態で電源スイッチが切られると前記ブランク面が表側となり前記ブランク面により車載用電子機器が隠されるように前記前側パネルを回動させる盗難防止モードと、電源スイッチが切られても前記前側パネルの回動が行われない非盗難防止モードとが選択可能となっており、前記後側パネルが傾動された状態では非盗難防止モードで電源スイッチが切られると前記後側パネルが起立するように前記スライダが駆動されるように構成されたものである。
【００１２】
また、前記各電子機器のパネル駆動機構において、前記電源スイッチを車両のアクセサリスイッチとしたものである。
【００１３】
また、同各電子機器のパネル駆動機構において、前記電源スイッチを電子機器のパワースイッチとしたものである。
【発明の効果】
【００１４】
この発明の電子機器のパネル駆動機構によれば、使用者が盗難防止機能を選択することが可能となったので、パネル駆動回数が減り、パネル駆動の耐久性および信頼性を向上させることができる。
【発明を実施するための最良の形態】
【００１５】
以下この発明を実施するための最良の形態を実施例に即して説明する。
【実施例１】
【００１６】
図１はこの発明の実施例１である車載用電子機器を示す側面図である。図１に示す車載用電子機器の筐体１は車両の電子機器収容凹部に収容される。筐体１の内部下方にはスライダ２が図示していない駆動機構により前後方向に駆動させるように配置されている。スライダ２の先端には前側パネル３が軸３ａ回りに図示していない駆動機構により回動されるように配置されている。
【００１７】
前側パネル３の図１における下側の面はブランク面３ｃとなっており、上側の面が操作面３ｂとなっている。前側パネル３は操作しやすくするため水平面より下側まで回動される。そのとき操作面３ｂは前方に向くように傾斜している。スライダ２が筐体１の最奥に位置し、前側パネル３が起立した状態ではブランク面３ｃが車載用電子機器を隠し盗難が防止される。
【００１８】
前側パネル３の背後には後側パネル４が軸４ａ回りに回動自在にスライダ２に支持されている。後側パネル４の上端部には軸４ｂを介してアーム５が回動自在に連結されている。アーム５の下端に立設されたピン５ａは筐体１に固定された図示していないカム溝とスライダ２に設けられた図示していないカム溝とに係合している。後側パネル４はスライダ２の動きにつれて軸４ａ回りに回動される。
【００１９】
すなわち、スライダ２が筐体１の最奥の位置から所定距離前進した位置の間にあるときは後側パネル４は起立した状態であるが、スライダ２がその範囲を越えて前進すると、後側パネル４は後方に倒れるように回動する。後側パネル４が後方に倒れた状態で筐体１内部に固定された機器本体前面に設けられた記録媒体挿入口が露出し、記録媒体の出し入れが可能となる。後側パネル４の図１における左側の面は表示装置の設けられた表示面４ｃを形成している。
【００２０】
このような構成の車載用電子機器のパネル駆動機構によれば、パネルに記録媒体挿入口を形成するスペースが必要でなく、操作面や表示面を広くとることができ、さらに盗難防止を図ることができる。
【００２１】
この車載用電子機器のパネル駆動機構では、キー操作等により盗難防止モードと非盗難防止モードとが選択できるようになっている。盗難防止モードにおいて、図１に示す状態またはスライダ２が図１に示すように突出し、前側パネル３が水平面より下を向くように傾斜して操作面３ｂのキー操作が行いやすくなっている状態で、車両のアクセサリスイッチ（ＡＣＣ）がオフとされると、図２に示すようにスライダ２が矢印方向に後退し、後側パネル４が起立し、さらに、前側パネル３が時計方向に回動されて起立してブランク面３ｃにより車載用電子機器を隠す状態となる。
【００２２】
非盗難防止モードにおいて、図１に示す状態で、車両のＡＣＣがオフとされると、図２に示すようにスライダ２が矢印方向に後退し、後側パネル４が起立した状態となる。この場合は前側パネル３は回動されない。なお、非盗難防止モードにおいて車両のＡＣＣがオフされたときスライダ２、前側パネル３および後側パネル４を全く動かさないようにしてもよい。
【００２３】
図３はこの発明の実施例２である車載用電子機器を示す側面図である。この例では実施例１における前側パネル３のブランク面３ｃの場所にサブパネル６が着脱可能となっている。スライダ２、前側パネル３および後側パネル４の構成は実施例１と同様である。
【００２４】
この例においても、キー操作等により盗難防止モードと非盗難防止モードとが選択できるようになっている。盗難防止モードにおいて、実施例１の図１に示すように使用状態で、車両のアクセサリスイッチ（ＡＣＣ）がオフとされると、スライダ２が図３に示す位置まで後退し、後側パネル４が起立し、さらに、前側パネル３が時計方向に回動されて起立してサブパネル６により車載用電子機器を隠す状態となる。
【００２５】
非盗難防止モードにおいて、使用状態で、車両のＡＣＣがオフとされると、図３に示す位置までスライダ２が後退し、後側パネル４が起立した状態となる。この場合は前側パネル３は回動されない。なお、非盗難防止モードにおいてサブパネル６が取り外された状態であれば前側パネル３は矢印で示すように回動されて前側パネル３が起立状態となる。
【００２６】
この実施例よると、サブパネルを取り外すことによりセキュリティ機能が自動的に有効となるため、盗難防止の目的を果たすことができる。
【００２７】
実施例は以上のように構成されているが発明はこれに限られず、例えば、ＡＣＣの代わりにパワースイッチのオフにより盗難防止動作が行われるようにしてもよい。
【図面の簡単な説明】
【００２８】
【図１】この発明の実施例１である車載用電子機器を示す側面図である。
【図２】同車載用電子機器の他の状態を示す側面図である。
【図３】この発明の実施例２である車載用電子機器を示す側面図である。
【図４】従来の車載用電子機器の例を示す側面図である。
【図５】同車載用電子機器の他の状態を示す側面図である。
【符号の説明】
【００２９】
１  筐体
２  スライダ
３  前側パネル、３ａ  軸、３ｂ  操作面、３ｃ  ブランク面、
４  後側パネル、４ａ、４ｂ  軸、４ｃ  表示面
５  アーム、５ａ  ピン
６  サブパネル
【図１】
2005186844.tif 000003
【図２】
2005186844.tif 000004
【図３】
2005186844.tif 000005
【図４】
2005186844.tif 000006
【図５】
2005186844.tif 000007